(57)【要約】【課題】画素毎の開度が相違する場合にも良好な品位の映像を表示する。【解決手段】カラー液晶表示装置のＣＰＵ３４は、液晶表示パネルの画素毎に開度を制御する開度制御部３４５と、バックライト光源に配設された第１所定数のＬＥＤ２１の発光光量を制御する発光制御部３４４と、バックライト光源に配設された第１所定数のＬＥＤ２１から照射され、液晶表示パネルにおいて反射された反射光の光量を検出する反射光検出部３４２と、反射光検出部３４２によって検出された反射光の光量に基づき、開度制御部３４５及び発光制御部３４４を介して、第１所定数のＬＥＤ２１の発光光量、及び、液晶表示パネルの開度を補正する補正量を求める補正値算出部３４３と、を備えている。【選択図】図４
2008292892.tif 000002
【特許請求の範囲】
【請求項１】
画素毎に液晶の配向方向を制御することによって開度を制御可能に構成された液晶表示パネルと、格子状に配列された２以上の第１所定数のＬＥＤを有し前記液晶表示パネルを背面側から照射するバックライト光源と、を備える液晶表示装置であって、
前記液晶表示パネルの画素毎に開度を制御する液晶制御手段と、
前記バックライト光源に配設された第１所定数のＬＥＤの発光光量を制御する発光制御手段と、
前記バックライト光源に配設された第１所定数のＬＥＤから照射され、前記液晶表示パネルにおいて反射された反射光の光量を検出する反射光検出手段と、
前記液晶制御手段及び発光制御手段の少なくとも一方を介して、前記反射光検出手段によって検出された反射光の光量に基づき、前記第１所定数のＬＥＤの発光光量、及び、前記液晶表示パネルの開度、の少なくとも一方を補正する補正手段と、
を備えることを特徴とする液晶表示装置。
【請求項２】
前記反射光検出手段は、前記液晶制御手段に対して開度を予め設定された所定開度とするべく制御させ、前記発光制御手段に対して前記第１所定数のＬＥＤを予め設定された所定光量で発光するべく制御させ、前記液晶表示パネルにおいて反射された反射光の光量を検出することを特徴とする請求項１に記載の液晶表示装置。
【請求項３】
前記所定開度は、略３０％の開度であることを特徴とする請求項２に記載の液晶表示装置。
【請求項４】
前記所定光量は、前記第１所定数のＬＥＤの略最大の光量であることを特徴とする請求項２又は請求項３に記載の液晶表示装置。
【請求項５】
前記反射光検出手段は、格子状に配列された２以上の第２所定数のＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサを備え、該第２所定数のＣＭＯＳイメージセンサを介して前記液晶表示パネルにおいて反射された反射光の光量を検出することを特徴とする請求項１〜請求項４のいずれかに記載の液晶表示装置。
【請求項６】
前記補正手段は、前記反射光検出手段の第２所定数のＣＭＯＳイメージセンサによって検出された光量の、前記第２所定数のＣＭＯＳイメージセンサの内、予め設定された所定位置に配設された基準イメージセンサによって検出された反射光の光量に対する光量差を求め、求められた光量差に基づき、前記第１所定数のＬＥＤの発光光量、及び、前記液晶表示パネルの開度、の少なくとも一方を補正することを特徴とする請求項５に記載の液晶表示装置。
【請求項７】
前記液晶表示パネルは、画素毎にＲ（Ｒｅｄ）色、Ｇ（Ｇｒｅｅｎ）色、及び、Ｂ（Ｂｌｕｅ）色のカラーフィルタを備え、各画素の各カラーフィルタに対応する開度を制御可能に構成され、
前記反射光検出手段は、前記第２所定数のＣＭＯＳイメージセンサを介して、反射光の輝度成分、Ｒ色成分、Ｇ色成分、及び、Ｂ色成分を検出し、
前記補正手段は、前記反射光検出手段によって検出された反射光の輝度成分に基づいて、前記第１所定数のＬＥＤの発光光量を補正し、前記反射光検出手段によって検出された反射光のＲ色成分、Ｇ色成分及びＢ色成分に基づいて、それぞれ対応するカラーフィルタに対応する前記液晶表示パネルの開度を補正することを特徴とする請求項５又は請求項６に記載の液晶表示装置。
【請求項８】
前記第１所定数及び第２所定数は、前記液晶表示パネルの画素数と略同一数であることを特徴とする請求項５〜請求項７のいずれかに記載の液晶表示装置。
【発明の詳細な説明】
【技術分野】
【０００１】
本発明は、画素毎に液晶の配向方向を制御することによって開度を制御可能に構成された液晶表示パネルと、格子状に配列された複数のＬＥＤを有し前記液晶表示パネルを背面側から照射するバックライト光源と、を備える液晶表示装置に関する。特に、画素毎にＲ（Ｒｅｄ）色、Ｇ（Ｇｒｅｅｎ）色、及び、Ｂ（Ｂｌｕｅ）色のカラーフィルタを備え、各画素の各カラーフィルタに対応する開度を制御可能に構成された液晶表示パネルを有するカラー液晶表示装置に関する。
【背景技術】
【０００２】
従来、画素毎に液晶の配向方向を制御することによって開度を制御可能に構成された液晶表示パネルと、格子状に配列された複数のＬＥＤを有し前記液晶表示パネルを背面側から照射するバックライト光源と、を備える液晶表示装置が提案されている。このような液晶表示装置においては、複数のＬＥＤ間の輝度値が相違し、視覚的に所望の輝度が得られない場合がある。
【０００３】
上記課題を解消するために、種々の装置、方法等が提案されている。例えば、バックライト光源に配設された複数のＬＥＤの一部を順次消灯すると共に、フォトセンサ部で検知した光量の変動情報から、ＬＥＤ毎の発光光量を制御する液晶表示装置が開示されている（特許文献１参照）。
【特許文献１】特開２００５−２０８４８６号公報
【発明の開示】
【発明が解決しようとする課題】
【０００４】
一方、液晶表示装置においては、複数のＬＥＤ間の輝度値が相違するだけではなく、複数の画素毎の液晶の開度が相違すること（例えば、液晶の配向特性の劣化等）に起因して、視覚的に所望の輝度が得られない場合がある。しかしながら、上記液晶表示装置等の従来の液晶表示装置では、画素毎の開度が相違することに起因した映像品位の低下（色むら等）を抑制することが困難である場合がある。また、上記液晶表示装置等の従来の液晶表示装置では、ＬＥＤの一部を順次消灯するため、フォトセンサ部で光量の変動情報を検知するために要する時間が長くなり、短時間でＬＥＤ毎の発光光量を制御することが困難な場合があった。
【０００５】
本発明は、上記課題に鑑みてなされたものであって、画素毎の開度が相違する場合にも良好な品位の映像を表示することの可能な液晶表示装置を提供することを目的としている。
【課題を解決するための手段】
【０００６】
上記目的を達成するために請求項１に記載の液晶表示装置は、画素毎に液晶の配向方向を制御することによって開度を制御可能に構成された液晶表示パネルと、格子状に配列された２以上の第１所定数のＬＥＤを有し前記液晶表示パネルを背面側から照射するバックライト光源と、を備える液晶表示装置であって、前記液晶表示パネルの画素毎に開度を制御する液晶制御手段と、前記バックライト光源に配設された第１所定数のＬＥＤの発光光量を制御する発光制御手段と、前記バックライト光源に配設された第１所定数のＬＥＤから照射され、前記液晶表示パネルにおいて反射された反射光の光量を検出する反射光検出手段と、前記液晶制御手段及び発光制御手段の少なくとも一方を介して、前記反射光検出手段によって検出された反射光の光量に基づき、前記第１所定数のＬＥＤの発光光量、及び、前記液晶表示パネルの開度、の少なくとも一方を補正する補正手段と、を備えることを特徴としている。
【０００７】
請求項２に記載の液晶表示装置は、請求項１に記載の液晶表示装置であって、前記反射光検出手段が、前記液晶制御手段に対して開度を予め設定された所定開度とするべく制御させ、前記発光制御手段に対して前記第１所定数のＬＥＤを予め設定された所定光量で発光するべく制御させ、前記液晶表示パネルにおいて反射された反射光の光量を検出することを特徴としている。
【０００８】
請求項３に記載の液晶表示装置は、請求項２に記載の液晶表示装置であって、前記所定開度が、略３０％の開度であることを特徴としている。
【０００９】
請求項４に記載の液晶表示装置は、請求項２又は請求項３に記載の液晶表示装置であって、前記所定光量が、前記第１所定数のＬＥＤの略最大の光量であることを特徴としている。
【００１０】
請求項５に記載の液晶表示装置は、請求項１〜請求項４のいずれかに記載の液晶表示装置であって、前記反射光検出手段が、格子状に配列された２以上の第２所定数のＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサを備え、該第２所定数のＣＭＯＳイメージセンサを介して前記液晶表示パネルにおいて反射された反射光の光量を検出することを特徴としている。
【００１１】
請求項６に記載の液晶表示装置は、請求項５に記載の液晶表示装置であって、前記補正手段が、前記反射光検出手段の第２所定数のＣＭＯＳイメージセンサによって検出された光量の、前記第２所定数のＣＭＯＳイメージセンサの内、予め設定された所定位置に配設された基準イメージセンサによって検出された反射光の光量に対する光量差を求め、求められた光量差に基づき、前記第１所定数のＬＥＤの発光光量、及び、前記液晶表示パネルの開度、の少なくとも一方を補正することを特徴としている。
【００１２】
請求項７に記載の液晶表示装置は、請求項５又は請求項６に記載の液晶表示装置であって、前記液晶表示パネルが、画素毎にＲ（Ｒｅｄ）色、Ｇ（Ｇｒｅｅｎ）色、及び、Ｂ（Ｂｌｕｅ）色のカラーフィルタを備え、各画素の各カラーフィルタに対応する開度を制御可能に構成され、前記反射光検出手段が、前記第２所定数のＣＭＯＳイメージセンサを介して、反射光の輝度成分、Ｒ色成分、Ｇ色成分、及び、Ｂ色成分を検出し、前記補正手段が、前記反射光検出手段によって検出された反射光の輝度成分に基づいて、前記第１所定数のＬＥＤの発光光量を補正し、前記反射光検出手段によって検出された反射光のＲ色成分、Ｇ色成分及びＢ色成分に基づいて、それぞれ対応するカラーフィルタに対応する前記液晶表示パネルの開度を補正することを特徴としている。
【００１３】
請求項８に記載の液晶表示装置は、請求項５〜請求項７のいずれかに記載の液晶表示装置であって、前記第１所定数及び第２所定数が、前記液晶表示パネルの画素数と略同一数であることを特徴としている。
【発明の効果】
【００１４】
請求項１に記載の液晶表示装置によれば、液晶制御手段によって、液晶表示パネルの画素毎に開度が制御され、発光制御手段によって、バックライト光源に配設された第１所定数のＬＥＤの発光光量が制御される。そして、バックライト光源に配設された第１所定数のＬＥＤから照射され、液晶表示パネルにおいて反射された反射光の光量が検出され、検出された反射光の光量に基づき、液晶制御手段及び発光制御手段の少なくとも一方を介して、第１所定数のＬＥＤの発光光量、及び、液晶表示パネルの開度、の少なくとも一方が補正されるため、画素毎の開度が相違する場合にも良好な品位の映像を表示することができる。
【００１５】
すなわち、バックライト光源に配設された第１所定数のＬＥＤから照射され、液晶表示パネルにおいて反射された反射光の光量が検出され、検出された反射光の光量に基づき、液晶制御手段及び発光制御手段の少なくとも一方を介して、第１所定数のＬＥＤの発光光量、及び、液晶表示パネルの開度、の少なくとも一方が補正されるため、例えば、反射光の光量が大きい場合（例えば、ＬＥＤの発光光量が大きい、又は、液晶表示パネルの開度が小さい場合）には、対応する位置のＬＥＤの発光光量を小さくするか、又は、液晶表示パネルの開度を大きくするべく制御することによって反射光に対する補正を行うことができるので、画素毎の開度が相違する場合にも良好な品位の映像を表示することができるのである。
【００１６】
請求項２に記載の液晶表示装置によれば、液晶制御手段に対して開度が予め設定された所定開度とするべく制御され、発光制御手段に対して第１所定数のＬＥＤが予め設定された所定光量で発光するべく制御され、液晶表示パネルにおいて反射された反射光の光量が検出されるため、適正な反射光の光量を検出することができる。
【００１７】
すなわち、液晶制御手段に対して開度が予め設定された所定開度とするべく制御され、発光制御手段に対して第１所定数のＬＥＤが予め設定された所定光量で発光するべく制御され、液晶表示パネルにおいて反射された反射光の光量が検出されるため、ＬＥＤの発光光量（＝所定光量）及び液晶表示パネルの開度（＝所定開度）を適正な値に設定することによって、ＬＥＤの発光光量及び液晶表示パネルの開度の影響が共に反射光の光量に適正に反映され、適正な反射光の光量を検出することができるのである。
【００１８】
請求項３に記載の液晶表示装置によれば、所定開度が略３０％の開度であるため、更に適正な反射光の光量を検出することができる。
【００１９】
すなわち、所定開度が略３０％の開度であるため、ＬＥＤの発光光量の略７０％が液晶表示パネルを透過し、ＬＥＤの発光光量の略３０％が反射光として検出されるため、更に適正な反射光の光量を検出することができるのである。つまり、反射光の光量は、ＬＥＤの発光光量及び液晶表示パネルの開度に基づいて決定されるため、所定開度が略３０％の開度であるので、ＬＥＤの発光光量及び液晶表示パネルの開度の影響が共に反射光の光量に適正に反映され、更に適正な反射光の光量を検出することができるのである。
【００２０】
請求項４に記載の液晶表示装置によれば、所定光量が前記第１所定数のＬＥＤの略最大の光量であるため、更に適正な反射光の光量を検出することができる。
【００２１】
すなわち、所定光量が前記第１所定数のＬＥＤの略最大の光量であるため、発光光量のＬＥＤ毎の相違が顕在化するので、更に適正な反射光の光量を検出することができるのである。
【００２２】
請求項５に記載の液晶表示装置によれば、格子状に配列された２以上の第２所定数のＣＭＯＳイメージセンサを介して液晶表示パネルにおいて反射された反射光の光量が検出されるため、反射光の光量を正確に検出することができる。
【００２３】
すなわち、格子状に配列された２以上の第２所定数のＣＭＯＳイメージセンサを介して液晶表示パネルにおいて反射された反射光の光量が検出されるため、液晶表示パネルから反射される反射光が不均一である場合にも、液晶表示パネルから反射される反射光の光量の分布を検出することができるので、反射光の光量を正確に検出することができるのである。
【００２４】
請求項６に記載の液晶表示装置によれば、第２所定数のＣＭＯＳイメージセンサによって検出された光量の、第２所定数のＣＭＯＳイメージセンサの内、予め設定された所定位置に配設された基準イメージセンサによって検出された反射光の光量に対する光量差が求められ、求められた光量差に基づき、第１所定数のＬＥＤの発光光量、及び、前記液晶表示パネルの開度、の少なくとも一方が補正されるため、画素毎の開度が相違する場合にも更に良好な品位の映像を表示することができる。
【００２５】
すなわち、第２所定数のＣＭＯＳイメージセンサによって検出された光量の、第２所定数のＣＭＯＳイメージセンサの内、予め設定された所定位置に配設された基準イメージセンサによって検出された反射光の光量に対する光量差が求められ、求められた光量差に基づき、第１所定数のＬＥＤの発光光量、及び、液晶表示パネルの開度、の少なくとも一方が補正されるため、液晶表示パネルから反射される反射光が不均一である場合にも、液晶表示パネルから反射される反射光の光量の分布に対応する補正を容易に行うことができるので、画素毎の開度が相違する場合にも更に良好な品位の映像を表示することができるのである。
【００２６】
請求項７に記載の液晶表示装置によれば、液晶表示パネルが、画素毎にＲ色、Ｇ色、及び、Ｂ色のカラーフィルタを備え、各画素の各カラーフィルタに対応する開度を制御可能に構成されている。そして、第２所定数のＣＭＯＳイメージセンサを介して、反射光の輝度成分、Ｒ色成分、Ｇ色成分、及び、Ｂ色成分が検出され、検出された反射光の輝度成分に基づいて、第１所定数のＬＥＤの発光光量が補正され、検出された反射光のＲ色成分、Ｇ色成分及びＢ色成分に基づいて、それぞれ対応するカラーフィルタに対応する液晶表示パネルの開度が補正されるため、画素毎の開度が相違する場合にも更に良好な品位の映像を表示することができる。
【００２７】
すなわち、第２所定数のＣＭＯＳイメージセンサを介して、反射光の輝度成分、Ｒ色成分、Ｇ色成分、及び、Ｂ色成分が検出され、検出された反射光の輝度成分に基づいて、第１所定数のＬＥＤの発光光量が補正され、検出された反射光のＲ色成分、Ｇ色成分及びＢ色成分に基づいて、それぞれ対応するカラーフィルタに対応する液晶表示パネルの開度が補正されるため、液晶表示パネルから反射される反射光が白色光ではない（＝着色光である）場合にも、液晶表示パネルから反射される反射光に対応する補正を正確に行うことができるので、画素毎の開度が相違する場合にも更に良好な品位の映像を表示することができるのである。
【００２８】
請求項８に記載の液晶表示装置によれば、バックライト光源に配設されたＬＥＤの個数である第１所定数及び反射光を検出するＣＭＯＳイメージセンサの個数である第２所定数が、液晶表示パネルの画素数と略同一数であるため、画素毎の開度が相違する場合にも更に良好な品位の映像を表示することができる。
【００２９】
すなわち、バックライト光源に配設されたＬＥＤの個数である第１所定数及び反射光を検出するＣＭＯＳイメージセンサの個数である第２所定数が、液晶表示パネルの画素数と略同一数であるため、画素毎に反射光に対応する補正を正確に行うことができるので、画素毎の開度が相違する場合にも更に良好な品位の映像を表示することができるのである。
【発明を実施するための最良の形態】
【００３０】
以下に本発明の実施形態を、図面を参照しながら説明する。図１は、本発明に係るカラー液晶表示装置の構成の一例を示す斜視図である。カラー液晶表示装置１００は、液晶表示パネル１、及び、液晶表示パネル１の背面側（図の下側）に配設されたバックライト光源２を備えている。バックライト光源２は、液晶表示パネル１を背面側（図の下側）から照射するものであって、格子状に配列された２以上の第１所定数（ここでは、液晶表示パネル１の画素数と同一個数）のＬＥＤ２１（図２参照）を有している。
【００３１】
液晶表示パネル１は、画素毎に液晶の配向方向を制御することによってバックライト光源２からの光線に対する開度（＝液晶表示パネル１の透過光量／液晶表示パネル１での受光光量）を制御可能に構成されたものであって、１対の電極基板１１、１２、電極基板１１、１２間に封入された液晶層１３、電極基板１２に貼付されたカラーフィルタ１４、電極基板１１、１２の液晶層１３に対して離間する側に配設された１対の偏光板１５、１６を備えている。
【００３２】
電極基板１１は、ＴＦＴ（Ｔｈｉｎ  Ｆｉｌｍ  Ｔｒａｎｓｉｓｔｏｒ：薄膜トランジスタ）基板であって、薄膜トランジスタ１１１、マトリクス状に配置された走査線１１２、及び、信号線１１３を備えている。電極基板１２は、液晶層１３側に、対向電極１２１を備えると共に、カラーフィルタ１４が貼付されている。カラーフィルタ１４は、バックライト光源２から照射される白色光を、Ｒ（Ｒｅｄ）色光、Ｇ（Ｇｒｅｅｎ）色光、及び、Ｂ（Ｂｌｕｅ）色光に変換するものであって、液晶表示パネル１上にカラー映像を表示させるものである。
【００３３】
偏光板１５、１６は、特定の方向の振幅成分を持つ光（偏光）のみ透過させるものであって、一方が垂直偏光を透過させ、他方が水平偏光を透過させるべく構成されている。電極基板１１、１２間に、図３を用いて後述するＸドライバ３１、Ｙドライバ３２を介して電圧が印加され、液晶層１３に封入された液晶が配向することによって、バックライト光源２から照射される光線が、偏光板１５、１６を介して透過する光量が制御される。
【００３４】
図２は、バックライト光源２の一例を示す斜視図である。バックライト光源２には、第１所定数（ここでは、液晶表示パネル１の画素数と同一個数）のＬＥＤ２１と、第２所定数（ここでは、液晶表示パネル１の画素数と同一個数）のＣＭＯＳイメージセンサ２２と、が一対となって格子状に配設されている。
【００３５】
ＬＥＤ（Ｌｉｇｈｔ  Ｅｍｉｔｔｉｎｇ  Ｄｉｏｄｅ）２１は、図３に示すＬＥＤドライバ３３を介して電流が供給され、液晶表示パネル１に対して光線（＝バックライト）を照射するものである。ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ２２（反射光検出手段の一部に相当する）は、液晶表示パネル１を介して、外部から照射される反射光の光量を検出するものであって、図３に示すＣＰＵ３４に対して、受光された反射光の輝度成分（Ｙ）、Ｒ色成分、Ｇ色成分、及び、Ｂ色成分を出力するものである。
【００３６】
なお、行番号ｉ（ｉ＝１〜Ｍ、例えば、Ｍ＝７２０）、列番号ｊ（ｊ＝１〜Ｎ、例えば、Ｎ＝１２８０）を図３に示すように各ＣＭＯＳイメージセンサ２２に付し、各ＣＭＯＳイメージセンサ２２を区別する。また、以下の説明において、各ＣＭＯＳイメージセンサ２２からの出力も同様に行番号ｉ、列番号ｊを付すことによって区別するものとする。例えば、行番号ｉ、列番号ｊに対応するＣＭＯＳイメージセンサ２２によって検出された反射光の輝度成分、Ｒ色成分、Ｇ色成分、及び、Ｂ色成分をそれぞれ、Ｙｉｊ、Ｒｉｊ、Ｇｉｊ、Ｂｉｊと表記する。
【００３７】
図３は、本発明に係るカラー液晶表示装置１００の電気的構成の一例を示す構成図である。カラー液晶表示装置１００は、Ｘドライバ３１、Ｙドライバ３２、ＬＥＤドライバ３３、ＣＰＵ３４、映像メモリ３５、ＲＡＭ３６、及び、ＲＯＭ３７を備えている。
【００３８】
Ｘドライバ３１、Ｙドライバ３２（液晶制御手段の一部に相当する）は、ＣＰＵ３４（図４を用いて後述する開度制御部３４５）からの指示に従って、電極基板１１、１２間に、電圧を印加するものである。ＬＥＤドライバ３３（発光制御手段の一部に相当する）は、ＣＰＵ３４（図４を用いて後述する発光制御部３４４）からの指示に従って、ＬＥＤ２１に電流を供給するものである。
【００３９】
ＣＰＵ（Ｃｅｎｔｒａｌ  Ｐｒｏｃｅｓｓｉｎｇ  Ｕｎｉｔ）３４は、カラー液晶表示装置１００全体の動作を制御するものである。映像メモリ３５は、外部（例えば、ＤＶＤプレイヤ等）から供給される映像情報を格納するものである。ＲＡＭ（Ｒａｎｄｏｍ  Ａｃｃｅｓｓ  Ｍｅｍｏｒｙ）３６は、ＣＰＵ３４（図４を用いて後述する補正値算出部３４３）によって算出された補正値等を格納するものである。ＲＯＭ（Ｒｅａｄ  Ｏｎｌｙ  Ｍｅｍｏｒｙ）３７は、ＣＰＵ３４を動作させる制御プログラム等を格納するものである。
【００４０】
図４は、本発明に係るカラー液晶表示装置１００における主要部の機能構成の一例を示す構成図である。ＣＰＵ３４は、機能的に、画像取得部３４１、反射光検出部３４２、補正値算出部３４３、発光制御部３４４、及び、開度制御部３４５を備え、ＲＡＭ３６は、機能的に、基準値記憶部３６１、輝度補正値記憶部３６２、及び、開度補正値記憶部３６３を備えている。
【００４１】
ここでは、ＣＰＵ３４が、図３に示すＲＯＭ３７等に予め格納された制御プログラムを読み出して実行することにより、画像取得部３４１、反射光検出部３４２、補正値算出部３４３、発光制御部３４４、開度制御部３４５等の機能部として機能し、ＲＡＭ３６を、基準値記憶部３６１、輝度補正値記憶部３６２、開度補正値記憶部３６３等の機能部として機能させるものである。
【００４２】
また、図３に示すＲＡＭ３６、ＲＯＭ３７に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００４３】
基準値記憶部３６１は、図１に示す液晶層１３のＲ、Ｇ、Ｂからなる１画素に対応する液晶の配向特性の画素間のバラツキを補正する補正値Ｒ０ｉｊ、Ｇ０ｉｊ、Ｂ０ｉｊ（ｉ＝１〜Ｍ、ｊ＝１〜Ｎ：Ｍ＝７２０、Ｎ＝１２８０）を格納すると共に、ＬＥＤ２１の発光特性のバラツキを補正する補正値Ｙ０ｉｊ（ｉ＝１〜Ｍ、ｊ＝１〜Ｎ：Ｍ＝７２０、Ｎ＝１２８０）を予め（例えば、製造後の調整時に）格納するものである。
【００４４】
なお、基準値記憶部３６１に格納された補正値Ｒ０ｉｊ、Ｇ０ｉｊ、Ｂ０ｉｊは、開度制御部３４５によって読み出され、補正値Ｙ０ｉｊは、発光制御部３４４によって読み出されるものである。
【００４５】
輝度補正値記憶部３６２（補正手段の一部に相当する）は、補正値算出部３４３によって算出された反射光の輝度のバラツキに対応する補正値ＹＡｉｊ（ｉ＝１〜Ｍ、ｊ＝１〜Ｎ：Ｍ＝７２０、Ｎ＝１２８０）を格納するものである。なお、輝度補正値記憶部３６２に格納された補正値ＹＡｉｊは、発光制御部３４４によって読み出されるものである。
【００４６】
開度補正値記憶部３６３（補正手段の一部に相当する）は、補正値算出部３４３によって算出された反射光のＲ色成分、Ｇ色成分及びＢ色成分のバラツキに対応する補正値ＲＡｉｊ、ＧＡｉｊ、ＢＡｉｊ（ｉ＝１〜Ｍ、ｊ＝１〜Ｎ：Ｍ＝７２０、Ｎ＝１２８０）を格納するものである。なお、開度補正値記憶部３６３に格納された補正値ＲＡｉｊ、ＧＡｉｊ、ＢＡｉｊは、開度制御部３４５によって読み出されるものである。
【００４７】
画像取得部３４１は、映像メモリ３５に格納された映像情報を読み出し、発光制御部３４４及び開度制御部３４５へ出力するものである。ここで、映像情報は、行番号ｉ（ｉ＝１〜Ｍ：Ｍ＝７２０）、列番号ｊ（ｊ＝１〜Ｎ：Ｎ＝１２８０）の画素のＲ色成分ＲＰｉｊ、Ｇ色成分ＧＰｉｊ、及び、Ｂ色成分ＢＰｉｊからなるものである。
【００４８】
反射光検出部３４２（反射光検出手段の一部に相当する）は、バックライト光源２に配設された第１所定数のＬＥＤ２１から照射され、液晶表示パネル１において反射された反射光の光量を検出するものである。具体的には、反射光検出部３４２は、開度制御部３４５に対して開度を予め設定された所定開度（ここでは、３０％）とするべく制御させ、発光制御部３４４に対して第１所定数のＬＥＤ２１を予め設定された所定光量（ここでは、最大の光量）で発光するべく制御させ、液晶表示パネル１において反射された反射光の光量を、ＣＭＯＳイメージセンサ２２を介して検出するものである。
【００４９】
ここで、反射光検出部３４２によって検出される反射光情報は、行番号ｉ（ｉ＝１〜Ｍ：Ｍ＝７２０）、列番号ｊ（ｊ＝１〜Ｎ：Ｎ＝１２８０）の位置に配設されたＣＭＯＳイメージセンサ２２から出力される輝度成分Ｙｉｊ、Ｒ色成分Ｒｉｊ、Ｇ色成分Ｇｉｊ、及び、Ｂ色成分Ｂｉｊからなるものである。
【００５０】
補正値算出部３４３（補正手段の一部に相当する）は、反射光検出部３４２によって検出された反射光情報に基づき、第１所定数のＬＥＤ２１の発光光量を補正する補正値ＹＡｉｊ（ｉ＝１〜Ｍ、ｊ＝１〜Ｎ：Ｍ＝７２０、Ｎ＝１２８０）を算出し、輝度補正値記憶部３６２に書き込むものである。
【００５１】
ここで、補正値ＹＡｉｊは、次の（１）式によって与えられるものである。
補正値ＹＡｉｊ＝輝度成分Ｙｉｊ−輝度成分Ｙｈｋ      （１）
ただし、ｈ＝Ｍ／２（＝３６０）、ｋ＝Ｎ／２（＝６４０）である。すなわち、補正値ＹＡｉｊは、反射光検出部３４２によって検出された輝度成分Ｙｉｊの液晶表示パネル１の中央位置（予め設定された所定位置に相当する）の画素に対応する輝度成分Ｙｈｋに対する輝度差である。
【００５２】
また、補正値算出部３４３は、反射光検出部３４２によって検出された反射光情報に基づき、液晶表示パネル１の開度を補正する補正値ＲＡｉｊ、ＧＡｉｊ、ＢＡｉｊ（ｉ＝１〜Ｍ、ｊ＝１〜Ｎ：Ｍ＝７２０、Ｎ＝１２８０）を算出し、開度補正値記憶部３６３に書き込むものである。
【００５３】
ここで、補正値ＲＡｉｊ、ＧＡｉｊ、ＢＡｉｊは、次の（２）〜（４）式によって与えられるものである。
補正値ＲＡｉｊ＝Ｒ色成分Ｒｉｊ−Ｒ色成分Ｒｈｋ      （２）
補正値ＧＡｉｊ＝Ｇ色成分Ｇｉｊ−Ｇ色成分Ｇｈｋ      （３）
補正値ＢＡｉｊ＝Ｂ色成分Ｂｉｊ−Ｂ色成分Ｂｈｋ      （４）
ただし、ｈ＝Ｍ／２（＝３６０）、ｋ＝Ｎ／２（＝６４０）である。すなわち、補正値ＲＡｉｊ、ＧＡｉｊ、ＢＡｉｊは、反射光検出部３４２によって検出されたＲ色成分Ｒｉｊ、Ｇ色成分Ｇｉｊ、及び、Ｂ色成分Ｂｉｊの液晶表示パネル１の中央位置（予め設定された所定位置に相当する）の画素に対応するＲ色成分Ｒｈｋ、Ｇ色成分Ｇｈｋ、及び、Ｂ色成分Ｂｈｋに対する差である。
【００５４】
発光制御部３４４（発光制御手段の一部に相当する）は、バックライト光源２に配設された第１所定数のＬＥＤ２１の発光光量を制御するものであって、反射光検出部３４２によって反射光の光量が検出される場合には、反射光検出部３４２からの指示に従って、ＬＥＤ２１を予め設定された所定光量（ここでは、最大光量）で発光させるものである。
【００５５】
また、発光制御部３４４は、基準値記憶部３６１に格納された補正値Ｙ０ｉｊ、及び、輝度補正値記憶部３６２に格納された補正値ＹＡｉｊ（ｉ＝１〜Ｍ、ｊ＝１〜Ｎ：Ｍ＝７２０、Ｎ＝１２８０）を読み出し、ＬＥＤ２１の発光光量を制御するものである。すなわち、発光制御部３４４は、行番号ｉ、列番号ｊに対応するＬＥＤ２１の発光光量Ｅｉｊを、次の（５）式によって求められる値に制御するものである。
発光光量Ｅｉｊ＝補正値Ｙ０ｉｊ＋補正値ＹＡｉｊ      （５）
【００５６】
開度制御部３４５（液晶制御手段の一部に相当する）は、液晶表示パネル１の画素毎に開度を制御するものであって、反射光検出部３４２によって反射光の光量が検出される場合には、反射光検出部３４２からの指示に従って、液晶表示パネル１の開度を予め設定された所定開度（ここでは、３０％）とするべく制御するものである。
【００５７】
また、開度制御部３４５は、基準値記憶部３６１に格納された補正値Ｒ０ｉｊ、Ｇ０ｉｊ、Ｂ０ｉｊ、及び、開度補正値記憶部３６３に格納された補正値ＲＡｉｊ、ＧＡｉｊ、ＢＡｉｊ（ｉ＝１〜Ｍ、ｊ＝１〜Ｎ：Ｍ＝７２０、Ｎ＝１２８０）を読み出し、画像取得部３４１によって取得された映像情報を表示するべく、液晶表示パネル１の開度を制御する（＝Ｘドライバ３１、Ｙドライバ３２を介して電極基板１１、１２間に印加する電圧を制御する）ものである。
【００５８】
すなわち、開度制御部３４５は、行番号ｉ、列番号ｊの画素のＲ色成分、Ｇ色成分、及び、Ｂ色成分にそれぞれ対応する液晶表示パネル１の開度ＴＲｉｊ、ＴＧｉｊ、ＴＢｉｊを、次の（６）〜（８）式によって求められる値に制御するものである。
開度ＴＲｉｊ＝ＲＰｉｊ＋Ｒ０ｉｊ＋ＲＡｉｊ      （６）
開度ＴＧｉｊ＝ＧＰｉｊ＋Ｇ０ｉｊ＋ＧＡｉｊ      （７）
開度ＴＢｉｊ＝ＢＰｉｊ＋Ｂ０ｉｊ＋ＢＡｉｊ      （８）
【００５９】
図５は、カラー液晶表示装置１００（主にＣＰＵ３４）の反射光光量検出処理の一例を示すフローチャートである。まず、反射光検出部３４２によって、発光制御部３４４を介してＬＥＤ２１が最大の光量で発光される（Ｓ１０１）。そして、反射光検出部３４２によって、開度制御部３４５を介して開度が３０％に設定される（Ｓ１０３）。次いで、反射光検出部３４２によって、ＣＭＯＳイメージセンサ２２を介して反射光の光量が検出され、反射光情報（＝輝度成分Ｙｉｊ、Ｒ色成分Ｒｉｊ、Ｇ色成分Ｇｉｊ、及び、Ｂ色成分Ｂｉｊ）が生成される（Ｓ１０５）。
【００６０】
次に、補正値算出部３４３によって、ＬＥＤ２１の発光光量を補正する補正値ＹＡｉｊが算出される（Ｓ１０７）。そして、補正値算出部３４３によって、液晶表示パネル１の開度を補正する補正値ＲＡｉｊ、ＧＡｉｊ、ＢＡｉｊが算出される（Ｓ１０９）。次いで、補正値算出部３４３によって、ステップＳ１０７において算出された補正値ＹＡｉｊが輝度補正値記憶部３６２に格納されると共に、ステップＳ１０９において算出された補正値ＲＡｉｊ、ＧＡｉｊ、ＢＡｉｊが開度補正値記憶部３６３に格納され（Ｓ１１１）、処理が終了される。
【００６１】
図６は、カラー液晶表示装置１００（主にＭＰＵ３４）の補正処理の一例を示すフローチャートである。まず、画像取得部３４１によって映像メモリ３５に格納された映像情報が取得される（Ｓ２０１）。そして、発光制御部３４４によって、基準値記憶部３６１に格納された補正値Ｙ０ｉｊが読み出される（Ｓ２０３）。次いで、発光制御部３４４によって、輝度補正値記憶部３６２に格納された補正値ＹＡｉｊが読み出される（Ｓ２０５）。次に、発光制御部３４４によって、ステップＳ２０３で読み出された補正値Ｙ０ｉｊ及びステップＳ２０５で読み出された補正値ＹＡｉｊを用いてＬＥＤ２１の発光光量Ｅｉｊが設定される（Ｓ２０７）。
【００６２】
そして、開度制御部３４５によって、基準値記憶部３６１に格納された補正値Ｒ０ｉｊ、Ｇ０ｉｊ、Ｂ０ｉｊが読み出される（Ｓ２０９）。次いで、開度制御部３４５によって、開度補正値記憶部３６３に格納された補正値ＲＡｉｊ、ＧＡｉｊ、ＢＡｉｊが読み出される（Ｓ２１１）。次に、開度制御部３４５によって、ステップＳ２０１で取得された映像情報（＝Ｒ色成分ＲＰｉｊ、Ｇ色成分ＧＰｉｊ、及び、Ｂ色成分ＢＰｉｊ）、ステップＳ２０９で読み出された補正値Ｒ０ｉｊ、Ｇ０ｉｊ、Ｂ０ｉｊ、及び、ステップＳ２０５で読み出された補正値ＲＡｉｊ、ＧＡｉｊ、ＢＡｉｊを用いて、液晶表示パネル１の開度ＴＲｉｊ、ＴＧｉｊ、ＴＢｉｊが設定され（Ｓ２１３）、処理が終了される。
【００６３】
このようにして、開度制御部３４５によって、液晶表示パネル１の画素毎に開度が制御され、発光制御部３４４によって、バックライト光源２に配設された第１所定数（ここでは、Ｍ×Ｎ個：Ｍ＝７２０、Ｎ＝１２８０）のＬＥＤ２１の発光光量が制御される。そして、バックライト光源２に配設された第１所定数のＬＥＤ２１から照射され、液晶表示パネル１において反射された反射光の光量が検出され、検出された反射光の光量に基づき、開度制御部３４５及び発光制御部３４４を介して、第１所定数のＬＥＤ２１の発光光量、及び、液晶表示パネル１の開度が補正されるため、画素毎の開度が相違する場合にも良好な品位の映像を表示することができる。
【００６４】
すなわち、バックライト光源２に配設された第１所定数（ここでは、Ｍ×Ｎ個：Ｍ＝７２０、Ｎ＝１２８０）のＬＥＤ２１から照射され、液晶表示パネル１において反射された反射光の光量が検出され、検出された反射光の光量に基づき、開度制御部３４５及び発光制御部３４４を介して、第１所定数のＬＥＤ２１の発光光量、及び、液晶表示パネル１の開度が補正されるため、例えば、反射光の光量が大きい場合（例えば、ＬＥＤ２１の発光光量が大きい、又は、液晶表示パネル１の開度が小さい場合）には、対応する位置のＬＥＤ２１の発光光量を小さくするか、又は、液晶表示パネル１の開度を大きくするべく制御することによって反射光に対する補正を行うことができるので、画素毎の開度が相違する場合にも良好な品位の映像を表示することができるのである。
【００６５】
また、開度制御部３４５に対して開度が予め設定された所定開度（ここでは、３０％）とするべく制御され、発光制御部３４４に対して第１所定数（ここでは、Ｍ×Ｎ個：Ｍ＝７２０、Ｎ＝１２８０）のＬＥＤ２１が予め設定された所定光量（ここでは、最大光量）で発光するべく制御され、液晶表示パネル１において反射された反射光の光量が検出されるため、適正な反射光の光量を検出することができる。
【００６６】
すなわち、開度制御部３４５に対して開度が予め設定された所定開度（ここでは、３０％）とするべく制御され、発光制御部３４４に対して第１所定数のＬＥＤ２１が予め設定された所定光量（ここでは、最大光量）で発光するべく制御され、液晶表示パネル１において反射された反射光の光量が検出されるため、ＬＥＤ２１の発光光量（＝所定光量：ここでは、最大光量）及び液晶表示パネル１の開度（＝所定開度：ここでは、３０％）を適正な値に設定することによって、ＬＥＤ２１の発光光量及び液晶表示パネル１の開度の影響が共に反射光の光量に適正に反映され、適正な反射光の光量を検出することができるのである。
【００６７】
更に、反射光の光量を検出する際の液晶表示パネル１の開度である所定開度が３０％の開度であるため、更に適正な反射光の光量を検出することができる。
【００６８】
すなわち、反射光の光量を検出する際の液晶表示パネル１の開度である所定開度が３０％の開度であるため、ＬＥＤ２１の発光光量の７０％が液晶表示パネル１を透過し、ＬＥＤ２１の発光光量の３０％が反射光として検出されるため、更に適正な反射光の光量を検出することができるのである。つまり、反射光の光量は、ＬＥＤ２１の発光光量及び液晶表示パネル１の開度に基づいて決定されるため、所定開度が３０％の開度であるので、ＬＥＤ２１の発光光量及び液晶表示パネル１の開度の影響が共に反射光の光量に適正に反映され、更に適正な反射光の光量を検出することができるのである。
【００６９】
加えて、反射光の光量を検出する際のＬＥＤ２１の発光光量である所定光量がＬＥＤ２１の最大の光量であるため、更に適正な反射光の光量を検出することができる。
【００７０】
すなわち、反射光の光量を検出する際のＬＥＤ２１の発光光量である所定光量がＬＥＤ２１の最大の光量であるため、発光光量のＬＥＤ２１毎の相違が顕在化するので、更に適正な反射光の光量を検出することができるのである。
【００７１】
また、格子状に配列された２以上の第２所定数（ここでは、Ｍ×Ｎ個：Ｍ＝７２０、Ｎ＝１２８０）のＣＭＯＳイメージセンサ２２を介して液晶表示パネル１において反射された反射光の光量が検出されるため、反射光の光量を正確に検出することができる。
【００７２】
すなわち、格子状に配列された２以上の第２所定数（ここでは、Ｍ×Ｎ個：Ｍ＝７２０、Ｎ＝１２８０）のＣＭＯＳイメージセンサ２２を介して液晶表示パネル１において反射された反射光の光量が検出されるため、液晶表示パネル１から反射される反射光が不均一である場合にも、液晶表示パネル１から反射される反射光の光量の分布を検出することができるので、反射光の光量を正確に検出することができるのである。
【００７３】
更に、第２所定数（ここでは、Ｍ×Ｎ個：Ｍ＝７２０、Ｎ＝１２８０）のＣＭＯＳイメージセンサ２２によって検出された光量の、第２所定数のＣＭＯＳイメージセンサ２２の内、予め設定された所定位置（ここでは、液晶表示パネル１の中央位置）に配設された基準イメージセンサによって検出された反射光の光量に対する光量差が求められ、求められた光量差に基づき、第１所定数（ここでは、Ｍ×Ｎ個：Ｍ＝７２０、Ｎ＝１２８０）のＬＥＤ２１の発光光量、及び、液晶表示パネル１の開度が補正されるため、画素毎の開度が相違する場合にも更に良好な品位の映像を表示することができる。
【００７４】
すなわち、第２所定数（ここでは、Ｍ×Ｎ個：Ｍ＝７２０、Ｎ＝１２８０）のＣＭＯＳイメージセンサ２２によって検出された光量の、第２所定数のＣＭＯＳイメージセンサの内、予め設定された所定位置（ここでは、液晶表示パネル１の中央位置）に配設された基準イメージセンサによって検出された反射光の光量に対する光量差が求められ、求められた光量差に基づき、第１所定数（ここでは、Ｍ×Ｎ個：Ｍ＝７２０、Ｎ＝１２８０）のＬＥＤ２１の発光光量、及び、液晶表示パネル１の開度が補正されるため、液晶表示パネル１から反射される反射光が不均一である場合にも、液晶表示パネル１から反射される反射光の光量の分布に対応する補正を容易に行うことができるので、画素毎の開度が相違する場合にも更に良好な品位の映像を表示することができるのである。
【００７５】
加えて、液晶表示パネル１が、画素毎にＲ色、Ｇ色、及び、Ｂ色のカラーフィルタ１４（図１参照）を備え、各画素の各カラーフィルタ１４に対応する開度を制御可能に構成されている。そして、第２所定数（ここでは、Ｍ×Ｎ個：Ｍ＝７２０、Ｎ＝１２８０）のＣＭＯＳイメージセンサ２２を介して、反射光の輝度成分Ｙｉｊ、Ｒ色成分Ｒｉｊ、Ｇ色成分Ｇｉｊ、及び、Ｂ色成分Ｂｉｊ（ｉ＝１〜Ｍ、ｊ＝１〜Ｎ：Ｍ＝７２０、Ｎ＝１２８０）が検出され、検出された反射光の輝度成分Ｙｉｊに基づいて、第１所定数（ここでは、Ｍ×Ｎ個：Ｍ＝７２０、Ｎ＝１２８０）のＬＥＤ２１の発光光量Ｅｉｊが補正され（（５）式参照）、検出された反射光のＲ色成分Ｒｉｊ、Ｇ色成分Ｇｉｊ、及び、Ｂ色成分Ｂｉｊに基づいて、それぞれ対応するカラーフィルタ１４に対応する液晶表示パネル１の開度ＴＲｉｊ、ＴＧｉｊ、ＴＢｉｊが補正される（（６）〜（８）式参照）ため、画素毎の開度が相違する場合にも更に良好な品位の映像を表示することができる。
【００７６】
すなわち、第２所定数（ここでは、Ｍ×Ｎ個：Ｍ＝７２０、Ｎ＝１２８０）のＣＭＯＳイメージセンサ２２を介して、反射光の輝度成分Ｙｉｊ、Ｒ色成分Ｒｉｊ、Ｇ色成分Ｇｉｊ、及び、Ｂ色成分Ｂｉｊ（ｉ＝１〜Ｍ、ｊ＝１〜Ｎ：Ｍ＝７２０、Ｎ＝１２８０）が検出され、検出された反射光の輝度成分Ｙｉｊに基づいて、第１所定数（ここでは、Ｍ×Ｎ個：Ｍ＝７２０、Ｎ＝１２８０）のＬＥＤ２１の発光光量Ｅｉｊが補正され（（５）式参照）、検出された反射光のＲ色成分Ｒｉｊ、Ｇ色成分Ｇｉｊ、及び、Ｂ色成分Ｂｉｊに基づいて、それぞれ対応するカラーフィルタ１４に対応する液晶表示パネル１の開度ＴＲｉｊ、ＴＧｉｊ、ＴＢｉｊが補正される（（６）〜（８）式参照）ため、液晶表示パネル１から反射される反射光が白色光ではない（＝着色光である）場合にも、液晶表示パネル１から反射される反射光に対応する補正を正確に行うことができるので、画素毎の開度が相違する場合にも更に良好な品位の映像を表示することができるのである。
【００７７】
また、バックライト光源２に配設されたＬＥＤ２１の個数である第１所定数及び反射光を検出するＣＭＯＳイメージセンサ２２の個数である第２所定数が、液晶表示パネル１の画素数と同一数（ここでは、Ｍ×Ｎ個：Ｍ＝７２０、Ｎ＝１２８０）であるため、画素毎の開度が相違する場合にも更に良好な品位の映像を表示することができる。
【００７８】
すなわち、バックライト光源２に配設されたＬＥＤ２１の個数である第１所定数及び反射光を検出するＣＭＯＳイメージセンサ２２の個数である第２所定数が、液晶表示パネル１の画素数と同一数（ここでは、Ｍ×Ｎ個：Ｍ＝７２０、Ｎ＝１２８０）であるため、画素毎に反射光に対応する補正を正確に行うことができるので、画素毎の開度が相違する場合にも更に良好な品位の映像を表示することができるのである。
【００７９】
なお、本発明は、以下の形態にも適用可能である。
（Ａ）本実施形態では、カラー液晶表示装置１００が、液晶表示パネル１の画素数と同一数（ここでは、Ｍ×Ｎ個：Ｍ＝７２０、Ｎ＝１２８０）のＬＥＤ２１及びＣＭＯＳイメージセンサ２２を備える場合について説明したが、ＬＥＤ２１の個数（第１所定数）及びＣＭＯＳイメージセンサ２２の個数（第２所定数）が、液晶表示パネル１の画素数より小さい（例えば、画素数の１／４）である形態でもよい。この場合には、カラー液晶表示装置１００の装置構成が簡略化される。また、ＣＭＯＳイメージセンサ２２の個数（第２所定数）がＬＥＤ２１の個数（第１所定数）と同一数ではない（例えば、ＬＥＤ２１の個数の１／４である）形態でもよい。
【００８０】
（Ｂ）本実施形態では、発光制御部３４４及び開度制御部３４５が、反射光検出部３４２によって検出される反射光情報に基づいて、それぞれ、ＬＥＤ２１の発光光量Ｅｉｊ及び液晶表示パネル１の開度ＴＲｉｊ、ＴＧｉｊ、ＴＢｉｊを補正する場合について説明したが、発光制御部３４４及び開度制御部３４５の一方（例えば、発光制御部３４４）が、反射光検出部３４２によって検出される反射光情報に基づいて、ＬＥＤ２１の発光光量Ｅｉｊ及び液晶表示パネル１の開度ＴＲｉｊ、ＴＧｉｊ、ＴＢｉｊの一方（例えば、ＬＥＤ２１の発光光量Ｅｉｊ）を補正する形態でもよい。
【００８１】
（Ｃ）本実施形態では、ＣＰＵ１１が、機能的に、画像取得部３４１、反射光検出部３４２、補正値算出部３４３、発光制御部３４４、及び、開度制御部３４５を備える場合について説明したが、画像取得部３４１、反射光検出部３４２、補正値算出部３４３、発光制御部３４４、及び、開度制御部３４５の内、少なくとも１の機能部が、回路等のハードウェアによって構成されている形態でもよい。
【図面の簡単な説明】
【００８２】
【図１】は、本発明に係るカラー液晶表示装置の構成の一例を示す斜視図である。
【図２】は、バックライト光源の一例を示す斜視図である。
【図３】は、本発明に係るカラー液晶表示装置の電気的構成の一例を示す構成図である。
【図４】は、本発明に係るカラー液晶表示装置における主要部の機能構成の一例を示す構成図である。
【図５】は、カラー液晶表示装置（主にＣＰＵ）の反射光光量検出処理の一例を示すフローチャートである。
【図６】は、カラー液晶表示装置（主にＭＰＵ）の補正処理の一例を示すフローチャートである。
【符号の説明】
【００８３】
１    カラー液晶表示装置
１    液晶表示パネル
１１、１２    電極基板
１３    液晶層
１４    カラーフィルタ
１５    偏光板
２    バックライト光源
２１    ＬＥＤ
２２    ＣＭＯＳイメージセンサ（反射光検出手段の一部）
３１    Ｘドライバ（液晶制御手段の一部）
３２    Ｙドライバ（液晶制御手段の一部）
３３    ＬＥＤドライバ（発光制御手段の一部）
３５    映像メモリ
３４    ＣＰＵ
３４１    画像取得部
３４２    反射光検出部（反射光検出手段の一部）
３４３    補正値算出部（補正手段の一部）
３４４    発光制御部（発光制御手段の一部）
３４５    開度制御部（液晶制御手段の一部）
３６    ＲＡＭ
３６１    基準値記憶部
３６２    輝度補正値記憶部（補正手段の一部）
３６３    開度補正値記憶部（補正手段の一部）
【図１】
2008292892.tif 000003
【図２】
2008292892.tif 000004
【図３】
2008292892.tif 000005
【図４】
2008292892.tif 000006
【図５】
2008292892.tif 000007
【図６】
2008292892.tif 000008